(57)【要約】【課題】入出力手段が、色と無関係な形態の同期信号が入力されたことに同期して取得した画像情報をそのまま後段回路に出力する場合に比べ、後段回路に対して、画像情報に対応する色を、特定色から予め定められた色順に認識させることができる信号処理装置、画像読取装置、情報処理装置、及びプログラムを提供する。【解決手段】ＡＦＥ２０は、予め定められた複数色の色毎に生成された画像を示す画像情報を、複数色が循環する色順に、色に応じた形態の第１同期信号と共に出力する。入出力回路３４は、ＡＦＥ２０により出力された第１同期信号が入力されたことに同期して、入力された第１同期信号に対応する画像情報を取得する。そして、取得した画像情報を、第１同期信号のうちの複数色に含まれる特定色に応じた形態の特定同期信号に対応する画像情報から色順に制御回路２０２に出力する。【選択図】図１１
2015192173.tif 000002
【特許請求の範囲】
【請求項１】
予め定められた複数色の色毎に生成された画像を示す画像情報を、前記複数色が循環する色順に、色に応じた形態の同期信号と共に出力する出力手段と、
前記出力手段により出力された前記同期信号が入力されたことに同期して、入力された前記同期信号に対応する前記画像情報を取得し、取得した前記画像情報を、前記同期信号のうちの前記複数色に含まれる特定色に応じた形態の特定同期信号に対応する画像情報から前記色順に後段回路に出力する入出力手段と、
を含む信号処理装置。
【請求項２】
前記入出力手段は、取得した画像情報を、前記後段回路に画像情報を出力することを指示する指示信号が入力されてから入力された前記特定同期信号に対応する画像情報から前記色順に前記後段回路に出力する請求項１に記載の信号処理装置。
【請求項３】
前記同期信号はパルスであり、
前記特定同期信号であるパルスの時間幅は、他の同期信号であるパルスの時間幅よりも長い請求項１又は請求項２に記載の信号処理装置。
【請求項４】
前記パルスの時間幅は、対応する色毎に異なる請求項３に記載の信号処理装置。
【請求項５】
前記後段回路は、前記入出力手段により出力された画像情報を前記特定色から前記色順に処理する機能を有する請求項１から請求項４の何れか１項に記載の信号処理装置。
【請求項６】
記録媒体における画像を含む画像領域に対して予め定められた複数色の色毎の光を前記複数色が循環する色順に照射した際の反射光を受光し、受光して得た前記画像を示す画像情報を前記色順に生成する生成手段と、
前記生成手段により生成された画像情報を処理対象とした請求項１から請求項５の何れか１項に記載の信号処理装置と、
を含む画像読取装置。
【請求項７】
請求項６に記載の画像読取装置と、
前記画像読取装置に含まれる前記信号処理装置における前記入出力手段により前記後段回路に出力された画像情報に基づいて画像を形成する画像形成装置と、
を含む情報処理装置。
【請求項８】
コンピュータを、
請求項１から請求項５の何れか１項に記載の信号処理装置における入出力手段として機能させるためのプログラム。
【発明の詳細な説明】
【技術分野】
【０００１】
本発明は、信号処理装置、画像読取装置、情報処理装置、及びプログラムに関する。
【背景技術】
【０００２】
特許文献１には、原稿の画像を読み取る画像読取手段と、画像読取手段によって読み取られた画像を示す画像情報に基づいて用紙に画像を形成する画像形成手段とを備えた画像形成装置が開示されている。特許文献１に記載の画像形成装置は、画像読取手段によって画像が読み取られて得られた画像情報のどの部分が何色の画像を示す画像情報であるかを示す色識別データを付加する色識別データ付加手段を備えたことを特徴としている。
【先行技術文献】
【特許文献】
【０００３】
【特許文献１】特開２００４−７２２１５号公報
【発明の概要】
【発明が解決しようとする課題】
【０００４】
本発明の課題は、入出力手段が、色と無関係な形態の同期信号が入力されたことに同期して取得した画像情報をそのまま後段回路に出力する場合に比べ、後段回路に対して、画像情報に対応する色を、特定色から予め定められた色順に認識させることができる信号処理装置、画像読取装置、情報処理装置、及びプログラムを提供することである。
【課題を解決するための手段】
【０００５】
請求項１に記載の信号処理装置は、予め定められた複数色の色毎に生成された画像を示す画像情報を、前記複数色が循環する色順に、色に応じた形態の同期信号と共に出力する出力手段と、前記出力手段により出力された前記同期信号が入力されたことに同期して、入力された前記同期信号に対応する前記画像情報を取得し、取得した前記画像情報を、前記同期信号のうちの前記複数色に含まれる特定色に応じた形態の特定同期信号に対応する画像情報から前記色順に後段回路に出力する入出力手段と、を含む。
【０００６】
請求項１に記載の信号処理装置において、請求項２に記載の発明のように、前記入出力手段は、取得した画像情報を、前記後段回路に画像情報を出力することを指示する指示信号が入力されてから入力された前記特定同期信号に対応する画像情報から前記色順に前記後段回路に出力する。
【０００７】
請求項１又は請求項２に記載の信号処理装置において、請求項３に記載の発明のように、前記同期信号はパルスであり、前記特定同期信号であるパルスの時間幅は、他の同期信号であるパルスの時間幅よりも長い。
【０００８】
請求項３に記載の信号処理装置において、請求項４に記載の発明のように、前記パルスの時間幅は、対応する色毎に異なる。
【０００９】
請求項１から請求項４の何れか１項に記載の信号処理装置において、請求項５に記載の発明のように、前記後段回路は、前記入出力手段により出力された画像情報を前記特定色から前記色順に処理する機能を有する。
【００１０】
請求項６に記載の画像読取装置は、記録媒体における画像を含む画像領域に対して予め定められた複数色の色毎の光を前記複数色が循環する色順に照射した際の反射光を受光し、受光して得た前記画像を示す画像情報を前記色順に生成する生成手段と、前記生成手段により生成された画像情報を処理対象とした請求項１から請求項５の何れか１項に記載の信号処理装置と、を含む。
【００１１】
請求項７に記載の情報処理装置は、請求項６に記載の画像読取装置と、前記画像読取装置に含まれる前記信号処理装置における前記入出力手段により前記後段回路に出力された画像情報に基づいて画像を形成する画像形成装置と、を含む。
【００１２】
請求項８に記載のプログラムは、コンピュータを、請求項１から請求項５の何れか１項に記載の信号処理装置における入出力手段として機能させるためのプログラムである。
【発明の効果】
【００１３】
請求項１、請求項６、請求項７、及び請求項８に係る発明によれば、入出力手段が、色と無関係な形態の同期信号が入力されたことに同期して取得した画像情報をそのまま後段回路に出力する場合に比べ、後段回路に対して、画像情報に対応する色を、特定色から予め定められた色順に認識させることができる。
【００１４】
請求項２に係る発明によれば、指示信号が画像情報毎に入出力手段に入力され、入出力手段が色と無関係な同期信号と共に画像情報と指示信号との両方を後段回路に出力する場合に比べ、少ないデータで、後段回路に対して、画像情報に対応する色を、特定色から予め定められた色順に認識させることができる。
【００１５】
請求項３に係る発明によれば、特定同期信号であるパルスの時間幅が他の同期信号であるパルスの時間幅よりも長くない場合に比べ、簡易な構成で特定同期信号と他の同期信号とを識別することができる。
【００１６】
請求項４に係る発明によれば、パルスの時間幅が、対応する色毎に異ならない場合に比べ、簡易な構成で、同期信号に対応する色を個別に識別することができる。
【００１７】
請求項５に係る発明によれば、特定色から予め定められた色順に処理する機能を有する後段回路に対して、画像情報を特定同期信号に対応する画像情報から色順に出力しない場合に比べ、画像情報に対応する色がずれた状態で画像情報に対する処理が後段回路で行われることを抑制することができる。
【図面の簡単な説明】
【００１８】
【図１】比較例及び実施形態に係る情報処理装置の外観の一例を示す斜視図である。
【図２】比較例及び実施形態に係る情報処理装置に含まれる画像読取部の一部の外観の一例を示す斜視図である。
【図３】比較例及び実施形態に係る情報処理装置に含まれる画像読取部の構成の一例を示す概略側面図である。
【図４】比較例及び実施形態に係る情報処理装置の電気系のハードウェア構成の一例を示すブロック図である。
【図５】比較例に係る情報処理装置に含まれる画像読取部における画像読取部本体の電気系のハードウェア構成の一例を示すブロック図である。
【図６】比較例において、入出力回路及び制御回路の各々で取得される画像情報の循環色順、並びに制御回路で認識される循環色順の一例を示す概念図である。
【図７】比較例において、入出力回路及び制御回路の各々で取得される画像情報の循環色順、並びに制御回路で認識される循環色順の他の一例を示す概念図である。
【図８】比較例において、入出力回路に入力される信号（第１同期信号及び画像情報）、入出力回路内で生成されて出力される第４ＣＬＫ信号、入出力回路により出力される信号（第２同期信号及び画像情報）、及び制御回路により認識される循環色順の一例を示すタイムチャートである。
【図９】比較例において、入出力回路に入力される信号、入出力回路内で生成されて出力される第４ＣＬＫ信号、入出力回路により出力される信号、及び制御回路により認識される循環色順の一例（ノイズにより第１同期信号の入力が妨げられた場合の一例）を示すタイムチャートである。
【図１０】比較例において、入出力回路に入力される信号、入出力回路内で生成されて出力される第４ＣＬＫ信号、入出力回路により出力される信号、及び制御回路により認識される循環色順の一例（ノイズにより第４ＣＬＫ信号の出力が妨げられた場合の一例）を示すタイムチャートである。
【図１１】第１及び第２実施形態に係る情報処理装置に含まれる画像読取部における画像読取部本体の電気系のハードウェア構成の一例を示すブロック図である。
【図１２】図１１に示す画像読取部本体に含まれる入出力回路の要部機能の一例を示すブロック図である。
【図１３】実施形態に係るフラグ設定処理の流れの一例を示すフローチャートである。
【図１４】図１３に示すフローチャートの続きである。
【図１５】実施形態に係る信号生成処理の流れの一例を示すフローチャートである。
【図１６】実施形態に係る画像情報取得処理の流れの一例を示すフローチャートである。
【図１７】実施形態に係る画像情報出力処理の流れの一例を示すフローチャートである。
【図１８】実施形態において、第１ＰＬＬにより出力される第４ＣＬＫ信号、及びＡＦＥから入出力回路に入力される第１同期信号の一例を示す波形図である。
【図１９】実施形態において、入出力回路及び制御回路の各々で取得される画像情報の循環色順、並びに制御回路で認識される循環色順の一例を示す概念図である。
【図２０】実施形態において、入出力回路に入力される信号、入出力回路内で生成されて出力される第４ＣＬＫ信号、入出力回路により出力される信号、及び制御回路により認識される循環色順の一例（ノイズにより第１同期信号の入力が妨げられた場合の一例）を示すタイムチャートである。
【図２１】実施形態において、入出力回路に入力される信号、入出力回路内で生成されて出力される第４ＣＬＫ信号、入出力回路により出力される信号、及び制御回路により認識される循環色順の一例（ノイズにより第４ＣＬＫ信号の出力が妨げられた場合の一例）を示すタイムチャートである。
【図２２】比較例及び実施形態に係る入出力回路に入力される第１同期信号及び画像情報の一例（第１同期信号の入力間隔が一定の場合の一例）を示すタイムチャートである。
【図２３】実施形態に係る入出力回路に入力される第１同期信号及び画像情報の一例（Ｂ画像情報に対応する第１同期信号とＲ画像情報に対応する第１同期信号との入力間隔のみが他の入力間隔と異なる場合の一例）を示すタイムチャートである。
【発明を実施するための形態】
【００１９】
［比較例］
本発明を実施するための実施形態の一例を詳細に説明する前に、先ず本発明を実施するための実施形態の一例に対する比較例について説明する。
【００２０】
一例として図１に示すように、情報処理装置１００は、画像読取部１０２、画像形成部１０４（本発明に係る画像形成装置の一例）、用紙収容部１０６、及びＵＩ（ユーザ・インタフェース）部１０８を備えている。
【００２１】
画像読取部１０２は、原稿台１１０及び排出台１１２を備えている。原稿台１１０の上面には一対の案内部材１１４Ａ，１１４Ｂが設けられている。一対の案内部材１１４Ａ，１１４Ｂは、一方が原稿台１１０に置かれた原稿の幅方向に手動操作で移動し、原稿台１１０に置かれた原稿が搬送される際に、原稿を搬送方向に案内する。画像読取部１０２は、原稿台１１０に置かれた原稿を１枚ずつ取り込み、取り込んだ原稿の画像を線順次方式で読み取って、読み取った画像を示す画像情報を取得する。そして、取得した画像情報を後述のＣＰＵ１６２に出力し、その後、原稿を排出台１１２に排出する。
【００２２】
なお、ここで、「画像を読み取る」とは、画像の密度（以下、「画像密度」と称する）を光学的に検出して、後述の入出力回路２００が後述の制御回路２０２に画像情報を出力することを意味する。画像密度とは、換言すると、画像の濃度を指す。また、上記の線順次方式とは、ラインセンサ（本例では、後述の光電変換素子１５６）による１回の読取動作で１ラインを読み取る毎に赤色、緑色、及び青色の光源を切り替えて色分解する方式を指す。
【００２３】
用紙収容部１０６には、記録媒体の一例である用紙がサイズ別に収容されており、画像形成部１０４は、用紙収容部１０６から用紙を取り出し、取り出した用紙に対して、画像を形成する。用紙に対して形成される画像とは、例えば、後述のＣＰＵ１６２が画像読取部１０２から取得した画像情報により示される画像、ＣＰＵ１６２が後述の外部装置１７６から取得した画像情報により示される画像、又は画質調整用の基準画像（所謂パッチ）を指す。画像形成部１０４は、画像が形成された用紙を排出台１１６に排出する。なお、画像を形成する方式は、電子写真方式であってもよいし、インクジェット方式であってもよい。
【００２４】
ＵＩ部１０８は、画像を表示するタッチパネル・ディスプレイ１０８Ａ及びスイッチ１０８Ｂを備えている。タッチパネル・ディスプレイ１０８Ａ及びスイッチ１０８Ｂは、情報処理装置１００の利用者からの各種指示を受け付ける。各種指示の一例としては、画像読取部１０２に対して画像の読み取りを開始させる指示（以下、説明の便宜上、「スキャン開始指示」という）、及び画像形成部１０４に対して画像の形成を開始させる指示が挙げられる。タッチパネル・ディスプレイ１０８Ａは、受け付けた指示に応じて実行された処理の結果や警報等の各種情報を表示する。
【００２５】
一例として図２及び図３に示すように、画像読取部１０２は、筐体１２０及び原稿搬送装置１２２を含み、原稿搬送装置１２２は、原稿台１１０及び排出台１１２を備えている。
【００２６】
一例として図２に示すように、筐体１２０は、画像読取部本体１４０を収容し、筐体１２０の上面には長方形状の開口１２４（本例では、Ａ３サイズの原稿よりも大きな開口）が形成されている。開口１２４は、原稿１２６（図３参照）が載せられるプラテンガラス１２８によって遮蔽されている。本例に係る画像読取部１０２では、プラテンガラス１２８の一例として無色透明なガラス板を適用しているが、これに限らず、透光性を有する原稿台であればよい。
【００２７】
筐体１２０の上面には、固定部１２８Ａ，１２８Ｂが設けられている。固定部１２８Ａ，１２８Ｂには、原稿搬送装置１２２（図３参照）の底面に設けられたヒンジ部材（図示省略）が固定され、原稿搬送装置１２２はヒンジ部材を介して開閉される。
【００２８】
プラテンガラス１２８の周囲には、長方形状の枠で形成された原稿セットガイド１３０が設けられている。原稿セットガイド１３０は、プラテンガラス１２８より僅かな凸状の段差となっており、原稿セットガイド１３０の段差に接するように原稿１２６の角部を合わせることにより、原稿１２６の位置決めが行われる。原稿セットガイド１３０の上面には、位置合わせマーク（図示省略）及び原稿サイズラベル（図示省略）が設けられている。位置合わせマークは、原稿セットガイド１３０の角部に原稿１２６の角部を合わせるときの目印である。原稿サイズラベルは、位置合わせマークに角部を合わせて定型サイズ（本例では、Ｂ５，Ａ４，Ｂ４，Ａ３）の原稿１２６がプラテンガラス１２８に載せられたときの原稿１２６の端部が位置する目印である。
【００２９】
一例として図３に示す原稿搬送装置１２２では、原稿台１１０に載せられた原稿（複数枚重ねられている場合は、その最上層の原稿）が、原稿反転ユニット（図示省略）へ送り込まれ、反転しながらプラテンガラス１２８上の読取領域を通過する。そして、原稿が読取領域を通過している間に画像の読み取りが行われ、その後、排出台１１２に排出される。
【００３０】
一例として図３に示すように、画像読取部本体１４０は、ＣＩＳ（密着型イメージセンサ：Contact Image Sensor）１４２、画像処理回路１４４、及びモータ１４６を含む。ＣＩＳ１４２及び画像処理回路１４４は、キャリッジ１４８に搭載されており、キャリッジ１４８は、モータ１４６の駆動力を受けて開口１２４の長手方向である副走査方向（図３に示すＸ方向）に移動する。
【００３１】
ＣＩＳ１４２は、第１ＬＥＤ（発光ダイオード：Light Emitting Diode）１５０Ａ、第２ＬＥＤ１５０Ｂ、及び第３ＬＥＤ１５０Ｃする。第１ＬＥＤ１５０Ａは、赤色（以下、「Ｒ」という）の発光波長を有するＬＥＤであり、第２ＬＥＤ１５０Ｂは、緑色（以下、「Ｇ」という）の発光波長を有するＬＥＤであり、第３ＬＥＤ１５０Ｃは、青色（以下、「Ｂ」という）の発光波長を有するＬＥＤである。第１ＬＥＤ１５０Ａ、第２ＬＥＤ１５０Ｂ、及び第３ＬＥＤ１５０Ｃは、ＲＧＢの各色の光が予め定められた順で発せられるように順次に駆動される。ここで、予め定められた順とは、ＲＧＢが循環する予め定められた色順（以下では、説明の便宜上、「循環色順」と称する）を指す。なお、以下では、説明の便宜上、第１ＬＥＤ１５０Ａ、第２ＬＥＤ１５０Ｂ、及び第３ＬＥＤ１５０Ｃを区別して説明する必要がない場合、「ＬＥＤ１５０」と称する。
【００３２】
ＣＩＳ１４２は、導光体１５２、集光部１５４、光電変換素子１５６（本発明に係る生成手段の一例）、及びＡＦＥ（アナログ・フロント・エンド：Analog Flont End）１５８を有する。
【００３３】
導光体１５２は、一例として図２に示すように、開口１２４の短手方向である主走査方向（図３に示すＹ方向）に沿って長尺状に形成されている。一例として図３に示すように、導光体１５２の一端には、ＬＥＤ１５０が取り付けられており、導光体１５２は、ＬＥＤ１５０によって照射された光をプラテンガラス１２８を介して原稿１２６へ導く。
【００３４】
集光部１５４は、正立等倍結像型レンズ素子が主走査方向に沿って複数個配置されたレンズユニットであり（図２参照）、ＬＥＤ１５０により導光体１５２を介して原稿１２６に対して光を照射した際に原稿１２６で反射された光を集光する。
【００３５】
光電変換素子１５６は、主走査方向に沿って複数個配置されており、集光部１５４で集光された光（本発明に係る反射光の一例）を受光（結像）して光電変換を行うことで、受光量に応じた電気信号である画像情報を生成して出力する。光電変換素子１５６によって生成されて出力される画像情報は、Ｒの画像を示す画像情報、Ｇの画像を示す画像情報、及びＢの画像を示す画像情報である。
【００３６】
なお、以下では、説明の便宜上、Ｒの画像を示す画像情報を「Ｒ画像情報」と称し、Ｇの画像を示す画像情報を「Ｇ画像情報」と称し、Ｂの画像を示す画像情報を「Ｂ画像情報」と称する。また、以下では、説明の便宜上、Ｒ画像情報、Ｇ画像情報、及びＢ画像情報を区別して説明する必要がない場合、「画像情報」と称する。
【００３７】
ＡＦＥ１５８は、光電変換素子１５６から入力された画像情報を、アンプ、Ａ／Ｄコンバータ、及びフィルタ等（図示省略）を用いて調整し、調整した画像情報を出力する。
【００３８】
画像処理回路１４４は、ＡＦＥ１５８から入力された画像情報を特定色（ここでは、Ｒ）から循環色順に処理する機能として、ＡＦＥ１５８から入力された画像情報に対してシェーディング補正、及び画素の配置変換処理等の画像処理を行う機能を有している。
【００３９】
一例として図４に示すように、情報処理装置１００は、コントローラ１６０を備えている。コントローラ１６０は、ＣＰＵ（Central Processing Unit）１６２、一次記憶部１６４、及び二次記憶部１６６を備えている。一次記憶部１６４は、各種プログラムの実行時のワークエリア等として用いられる揮発性のメモリ（例えば、ＲＡＭ（Random Access Memory））である。二次記憶部１６６は、情報処理装置１００の作動を制御する制御プログラムや各種パラメータ等を予め記憶する不揮発性のメモリ（例えば、フラッシュメモリやＨＤＤ（Hard Disk Drive）など）である。ＣＰＵ１６２、一次記憶部１６４、及び二次記憶部１６６は、バス１６８を介して相互に接続されている。
【００４０】
情報処理装置１００は、ＣＰＵ１６２と各種の入出力デバイスとを電気的に接続してＣＰＵ１６２と各種の入出力デバイスとの間の各種情報の送受信を司るインプット・アウトプット・インタフェース（Ｉ／Ｏ）１７０を備えている。情報処理装置１００は、Ｉ／Ｏ１７０に接続されることで、バス１６８を介してＣＰＵ１６２と電気的に接続される入出力デバイスとして、画像読取部１０２、画像形成部１０４、及びＵＩ部１０８を備えている。また、情報処理装置１０は、入出力デバイスとして、外部インタフェース（Ｉ／Ｆ）１７２及び通信Ｉ／Ｆ１７４を備えている。
【００４１】
外部Ｉ／Ｆ１７２は、外部装置（例えば、ＵＳＢメモリ）に接続され、外部装置とＣＰＵ１６２との間の各種情報の送受信を司る。通信Ｉ／Ｆ１７４は、例えば、ＬＡＮ（Local Area Network）やインターネットなどの通信手段に接続されており、通信手段に接続された外部装置１７６（一例としてパーソナル・コンピュータ）との間の各種情報の送受信を司る。
【００４２】
ＣＰＵ１６２は、バス１６８及びＩ／Ｏ１７０を介して上記の入出力デバイスと各種情報の送受信を行うことで、入出力デバイスの動作状態の把握、及び入出力デバイスの制御等を行う。
【００４３】
一例として図５に示すように、画像読取部本体１４０は、モータ駆動回路１８０を備えている。モータ駆動回路１８０は、モータ１４６及びＩ／Ｏ１７０の各々に接続されており、ＵＩ部１０８で受け付けられたスキャン開始指示に応じてＩ／Ｏ１７０を介してＣＰＵ１６２から入力された駆動制御信号に従ってモータ１４６の駆動を制御する。
【００４４】
ＣＩＳ１４２は、ＬＥＤ駆動回路１８２を備えている。ＬＥＤ駆動回路１８２は、第１ＬＥＤ１５０Ａ、第２ＬＥＤ１５０Ｂ、及び第３ＬＥＤ１５０Ｃの各々に接続されている。ＡＦＥ１５８は、ＬＥＤ駆動回路１８２に接続されており、信号線１８４を介してＩ／Ｏ１７０に接続されている。ＡＦＥ１５８は、ＵＩ部１０８で受け付けられたスキャン開始指示に応じてＣＰＵ１６２からＩ／Ｏ１７０及び信号線１８４を介して入力された点灯開始信号に従ってＬＥＤ駆動回路１８２の駆動を制御する。ＬＥＤ駆動回路１８２は、ＡＦＥ１５８の制御下で、第１ＬＥＤ１５０Ａ、第２ＬＥＤ１５０Ｂ、及び第３ＬＥＤ１５０Ｃを、第１ＬＥＤ１５０Ａ、第２ＬＥＤ１５０Ｂ、及び第３ＬＥＤ１５０Ｃの順に繰り返し発光させる。すなわち、ＡＦＥ１５８は、点灯開始信号が入力された場合、ＬＥＤ１５０のうちの第１ＬＥＤ１５０Ａを最初に発光させ、以後、Ｂからの循環色順に従ってＬＥＤ１５０を発光させるようＥＤ駆動回路１８２を制御する。
【００４５】
ＡＦＥ１５８は、光電変換素子１５６に接続されており、信号線１８６を介してＩ／Ｏ１７０に接続されている。ＡＦＥ１５８は、信号生成回路１８８を備えている。信号生成回路１８８は、ＣＰＵ１６２からＩ／Ｏ１７０及び信号線１８６を介して入力された基本クロック信号（基本ＣＬＫ信号）に基づいて、第１同期信号及び第１クロック信号（第１ＣＬＫ信号）を生成する。なお、第１同期信号は単一のパルス（以下、単に「パルス」と称する）である。ここで、パルスとは、例えば、信号レベルがローレベルからハイレベルに遷移してからハイレベルからローレベルに遷移する単一の矩形波を指す。
【００４６】
画像処理回路１４４は、入出力回路２００、制御回路２０２、及びメモリ２０４を備えている。なお、本例では、入出力回路２００の一例として、ＦＰＧＡ（Field Programmable Gate Array）を採用している。また、本例では、制御回路２０２の一例として、ＡＳＩＣ（Application Specific Integrated Circuit）が搭載されたＣＰＵを採用している。
【００４７】
入出力回路２００は、信号線１９０，１９２，１９４の各々を介してＡＦＥ１５８に接続されている。ＡＦＥ１５８は、信号生成回路１８８で生成された第１ＣＬＫ信号を信号線１９０を介して入出力回路２００に出力し、信号生成回路１８８で生成された第１同期信号を信号線１９２を介して入出力回路２００に第１ＣＬＫ信号に従って出力する。
【００４８】
ＡＦＥ１５８は、光電変換素子１５６から循環色順（ここでは、Ｒから始まる循環色順）に入力された画像情報の各々に対して、一般的なＡＦＥが行う処理に相当する処理を施す。そして、循環色順（画像情報が入力された順）に画像情報を信号線１９４を介して入出力回路２００に第１同期信号の出力に従って出力する。ここで、第１同期信号の出力に従って画像情報を出力するとは、換言すると、第１同期信号の出力に同期させて画像情報（空き領域を有する画像情報）を出力することを意味する。
【００４９】
入出力回路２００は、ＡＦＥ１５８から入力された第１ＣＬＫ信号に基づいて定められたタイミングで第１同期信号が入力され、第１同期信号が入力されたことに同期して、対応する画像情報を取得する。なお、対応する画像情報とは、ＡＦＥ１５８により第１同期信号と共に出力された画像情報を指す。また、本比較例では、説明の便宜上、第１同期信号が入出力回路２００に入力される場合、一例として図２２に示すように、第１同期信号が間隔Ａで入力されることを前提としている。
【００５０】
入出力回路２００は、信号線２０６，２０８の各々を介してＩ／Ｏ１７０に接続されており、信号線２１０，２１２，２１４の各々を介して制御回路２０２に接続されている。制御回路２０２は、メモリ２０４及びＩ／Ｏ１７０の各々に接続されている。
【００５１】
入出力回路２００は、ＣＰＵ１６２からＩ／Ｏ１７０及び信号線２０８を介して入力された第２クロック信号（第２ＣＬＫ信号）に従って、制御回路２０２で用いる第３クロック信号（第３ＣＬＫ信号）を生成する。そして、生成した第３ＣＬＫ信号を信号線２１０を介して制御回路２０２に出力する。
【００５２】
また、入出力回路２００は、ＣＰＵ１６２からＩ／Ｏ１７０及び信号線２０６を介してスキャン開始信号（本発明に係る指示信号の一例）が入力された場合に、第１同期信号が入力される毎に、第２ＣＬＫ信号に従ってパルスである第２同期信号を生成する。そして、生成した第２同期信号を信号線２１０を介して制御回路２０２に出力する。また、入出力回路２００は、ＣＰＵ１６２からＩ／Ｏ１７０及び信号線２０６を介してスキャン終了信号が入力された場合に、第２同期信号の生成を終了する。なお、上記の本発明に係る指示信号とは、入出力回路２００が、取得した画像情報を後段回路（ここでは一例として制御回路２０２）に出力することを指示する信号を指す。
【００５３】
更に、入出力回路２００は、取得した画像情報を信号線２１４を介して制御回路２０２に第２同期信号の出力に従って取得順（循環色順）に出力する。ここで、第２同期信号の出力に従って画像情報を出力するとは、換言すると、第２同期信号の出力に同期させて画像情報を出力することを意味する。なお、スキャン開始信号は、ＵＩ部１０８で受け付けられたスキャン開始指示に応じてＣＰＵ１６２によってページ単位で生成されて出力される。
【００５４】
制御回路２０２は、入出力回路２００から入力された画像情報を第２同期信号に従って取得し、取得した画像情報をメモリ２０２に一時的に記憶する。制御回路２０２は、入出力回路２００から入力された第３ＣＬＫ信号に基づいて定められたタイミングでメモリ２０４から画像情報を取得する。そして、取得した画像情報に対して予め定められた処理（例えば、シェーディング補正等）を施した後、画像情報をＩ／Ｏ１７０を介して予め定められた出力先（例えば、ＣＰＵ１６２）に出力する。
【００５５】
制御回路２０２は、入出力回路２００にスキャン開始信号が入力されると、第２同期信号が入力されたことに同期して取得した画像情報に対応する色（換言すると、画像情報により示される画像の色）として、先ず、Ｒを認識する。そして、以降、入出力回路２００にスキャン終了信号が入力される迄、制御回路２０２は、第２同期信号が入力されたことに同期して取得した画像情報に対応する色を、Ｒに後続する色（ここでは、Ｂ）から循環色順に第２同期信号が入力される毎に認識する。すなわち、換言すると、制御回路２０２は、入出力回路２００にスキャン開始信号が入力された以降、入出力回路２００から取得した画像情報に対応する色であるＲＧＢを、Ｒから循環色順に認識する。
【００５６】
制御回路２０２は、スキャン開始信号が入出力回路２００に入力された後に最初にＲ画像情報が入出力回路２００によって出力されることを前提として、取得した画像情報に対して画像処理を行う。
【００５７】
そのため、一例として図６に示すように、入出力回路２００によりＢ画像情報が取得された後、かつ、Ｒ画像情報が取得される前に、スキャン開始信号が入出力回路２００に入力された場合、制御回路２０２では、Ｒから始まる循環色順に画像情報が取得される。この場合、制御回路２０２では、Ｒから始まる循環色順に画像情報が認識されて画像処理が行われる。すなわち、制御回路２０２では、実際に取得される画像情報に対応する色の循環色順と認識される循環色順とが一致する。
【００５８】
なお、以下では、説明の便宜上、制御回路２０２で実際に取得される画像情報に対応する色の循環色順を「取得循環色順」と称し、制御回路２０２で認識される循環色順を「認識循環色順」と称する。
【００５９】
一方、一例として図７に示すように、入出力回路２００によりＲ画像情報が取得された後、かつ、Ｇ画像情報が取得される前に、スキャン開始信号が入出力回路２００に入力される場合、制御回路２０２では、Ｇから始まる循環色順に画像情報が取得される。しかし、制御回路２０２では、Ｒから始まる循環色順に画像情報が認識されて画像処理が行われる。すなわち、制御回路２０２では、取得循環色順と認識循環色順とが一致しない。よって、実際はＧから始まる循環色順に画像情報が取得されているにも拘らず、Ｒから始まる循環色順に画像情報が取得されたものとして画像処理が行われる。そのため、制御回路２０２によって出力された画像情報により示される画像は色ずれが生じた画像となってしまう。
【００６０】
入出力回路２００では、第１ＣＬＫ信号に基づいて定められたクロック信号である第４ＣＬＫ信号が生成される。第４ＣＬＫ信号とは、ＡＦＥ１５８により出力された第１同期信号が入出力回路２００に入力される時期を規定するクロック信号を指す。入出力回路２００では、スキャン開始信号が入力された場合、一例として図８に示すように、第４ＣＬＫ信号に従って第１同期信号が入力される。入出力回路２００は、第１同期信号の入力に同期して、循環色順に画像情報を取得する。また、第１同期信号の入力に応じて第２同期信号を生成して制御回路２０２に出力し、第２同期信号の出力に従って画像情報を取得順（循環色順）に制御回路２０２に出力する。この場合、制御回路２０２は、入出力回路２００から取得した画像情報を取得順にＲから始まる循環色順に認識する。そのため、入出力回路２００により出力された画像情報の循環色順（以下、「出力循環色順」と称する）、取得循環色順、及び認識循環色順とが一致する。
【００６１】
しかし、一例として図９に示すように、入出力回路２００では、ノイズの影響を受けて、Ｇ画像情報に対応する第１同期信号が入力されない場合（ノイズにより第１同期信号の入力が妨げられた場合）、Ｇ画像情報が取得されない。また。第２同期信号は、第１同期信号の入力に応じて生成されるので、第２同期信号は生成されず、Ｇ画像情報は制御回路２０２に出力されない。この場合、制御回路２０２は、入出力回路２００から入力された画像情報を入力順にＲから始まる循環色順に認識するので、出力循環色順と取得循環色順とは一致するものの、出力循環色順（取得循環色順）と認識循環色順とが一致しない。
【００６２】
すなわち、図９に示す例では、入出力回路２００により画像情報がＲ画像情報、Ｂ画像情報、及びＲ画像情報の順に出力されているが、制御回路２０２では、画像情報がＲ画像情報、Ｇ画像情報、及びＢ画像情報の順に入力されたと認識される。このように制御回路２０２で循環色順が誤認識されると、Ｂ画像情報に対して行われるべき画像処理がＧ画像情報に対して行われ、Ｒ画像情報に対して行われるべき画像処理がＢ画像情報に対して行われることになる。そのため、制御回路２０２によって出力された画像情報により示される画像は色ずれが生じた画像となってしまう。
【００６３】
また、一例として図１０に示すように、入出力回路２００では、ノイズの影響を受けて第４ＣＬＫ信号の出力が停止した（第４ＣＬＫ信号の出力が妨げられた）ことによりＧ画像情報に対応する第１同期信号が入力されない場合も、Ｇ画像情報が取得されない。よって、出力循環色順と取得循環色順とは一致するものの、出力循環色順（取得循環色順）と認識循環色順とが一致しない。
【００６４】
［実施形態］
次に本発明に係る実施形態の一例を詳細に説明する。なお、以下の説明では、上記の比較例で説明した構成要素と同一の構成要素については同一の符号を付し、その説明を省略する。また、以下では、上記の比較例と異なる部分について説明する。また、以下では、説明の便宜上、一例として図２２に示すように、本発明に係る同期信号の一例である第１同期信号が入出力回路３４（図１１参照）に入力される場合、第１同期信号が間隔Ａで入力されることを前提として説明する。
【００６５】
一例として図１〜図４に示すように、本実施形態に係る情報処理装置１０は、情報処理装置１００に比べ、画像読取部１０２に代えて画像読取部１２を有する点が異なる。一例として図２及び図３に示すように、本発明に係る画像読取装置の一例である画像読取部１０２は、画像読取部１０２に比べ、画像読取部本体１４０に代えて画像読取部本体１４を有する点が異なる。
【００６６】
一例として図３及び図１１に示すように、本発明に係る信号処理装置の一例である画像読取部本体１４は、画像読取部本体１４０に比べ、ＣＩＳ１４２に代えてＣＩＳ１８を有する点、及び画像処理回路１４４に代えてが画像処理回路２２を有する点が異なる。一例として図１１に示すように、ＣＩＳ１８は、ＣＩＳ１４２に比べ、ＡＦＥ１５８に代えて、本発明に係る出力手段の一例であるＡＦＥ２０を有する点が異なる。一例として図１１に示すように、画像処理回路２２は、画像処理回路１４４に比べ、入出力回路２００に比べ、本発明に係る入出力手段の一例である入出力回路３４を有する点が異なる。なお、以下では、第１同期信号が入出力回路３４に入力される場合、説明の便宜上、一例として図２２に示すように、第１同期信号が間隔Ａで入力されることを前提として説明する。
【００６７】
ＡＦＥ２０は、画像情報を循環色順に、色に応じた形態の第１同期信号と共に出力する。一例として図１１に示すように、ＡＦＥ２０は、ＡＦＥ１５８に比べ、内部レジスタ３０を有する点、及び信号生成回路１８８に代えて信号生成回路３２を有する点が異なる。内部レジスタ３０は、Ｒ画像情報に対応する第１同期信号のパルスの時間幅（例えば、パルス幅）を示す時間幅情報を記憶している。時間幅情報により示される時間幅とは、例えば、第４ＣＬＫ信号による予め定められたクロック数により特定される時間幅を指す。
【００６８】
信号生成回路３２は、信号生成回路１８８に比べ、Ｒ画像情報に対応する第１同期信号として、内部レジスタ３０に記憶されている時間幅情報により示される時間幅のパルスである第１同期信号（本発明に係る特定同期信号の一例）を生成して出力する点が異なる。なお、本発明に係る特定同期信号とは、第１同期信号のうちの特定色（ここでは一例としてＲ）に応じた形態の同期信号を指す。
【００６９】
入出力回路３４は、ＡＦＥ２０により出力された第１同期信号が入力されたことに同期して、対応する画像情報を取得する。そして、取得した画像情報を、特定同期信号に対応する画像情報から循環色順に制御回路２０２に出力する。
【００７０】
また、入出力回路３４は、取得した画像情報を、第１同期信号の入力に応じて生成した第２同期信号と共に取得順に制御回路２０２（本発明に係る後段回路の一例）に出力する。また、入出力回路３４は、第１同期信号が入力されない場合に、第２同期信号に代替する代替同期信号を制御回路２０２に出力する。第１同期信号が入力されない場合とは、換言すると、ノイズの影響を受けて第１同期信号の入力が妨げられた場合ということである。すなわち、ここで言う「第１同期信号が入力されない場合」とは、第１同期信号が本来入力されない時期（例えば、図２２に示す間隔Ａで隣接する一方のパルスと他方のパルスとの間の信号レベルがローレベルの期間）を意図しているわけではない。
【００７１】
一例として図１２に示すように、入出力回路３４は、第１ＰＬＬ（位相同期回路：Phase Locked Loop）５０、設定部５２、保持出力部５４、同期信号生成部５６、及び第２ＰＬＬ５８を含む。設定部５２は、カウンタ５３を備えており、保持出力部５４は、メモリ５５を備えている。
【００７２】
本発明に係るクロック出力手段の一例である第１ＰＬＬ５０は、信号線１９０に接続されており、信号線６０，６１の各々を介して設定部５２に接続されている。設定部５２は、信号線１９２，２０６，２０８，２１２に接続されており、信号線６２を介して同期信号生成部５６に接続されている。保持出力部５４は、信号線６０，６２，１９２，１９４，２０８，２１２，２１４の各々に接続されている。同期信号生成部５６は、信号線１９２，２０８に接続されている。第２ＰＬＬ５８は、信号線２０８，２１０に接続されている。
【００７３】
第１ＰＬＬ５０は、信号線１９０を介して入力された第１ＣＬＫ信号を参照して第４ＣＬＫ信号（本発明に係る入力クロック信号の一例）を生成する。そして、生成した第４ＣＬＫ信号を信号線６０を介して設定部５２及び保持出力部５４に出力する。なお、本実施形態では、第４ＣＬＫ信号の一例として、第１ＣＬＫ信号の周波数をＮ倍（ここでは一例として３倍）した周波数のクロック信号を採用している。
【００７４】
また、第１ＰＬＬ５０は、停止状態下で信号線６１を介して設定部５２からリセット実施信号が入力された場合、リセットを実施する。更に、第１ＰＬＬ５０は、信号線６１を介して設定部５２からリセット解除信号が入力された場合、リセットを解除する。ここで、停止状態とは、例えば、第１ＰＬＬ５０がノイズの影響を受けたことで、第４ＣＬＫ信号の生成を停止している状態を指す。また、リセットとは、第４ＣＬＫ信号の生成を再開し、生成した第４ＣＬＫ信号を出力せずにリセット解除信号の入力を待機することを指す。リセットを解除するとは、第４ＣＬＫ信号の出力を再開することを指す。
【００７５】
設定部５２は、第１同期信号であるパルスのエッジ（立ち上がりエッジ及び立ち下がりエッジ）を検出する。カウンタ５３は、立ち上がりエッジが検出された時点から立ち下がりエッジが検出された時点までの経過時間（ここでは一例として第４ＣＬＫ信号のクロック数）をカウントする。また、カウンタ５３は、第１同期信号（例えば、パルスの立ち下がりエッジ）が検出された時点からの経過時間（ここでは一例として第２ＣＬＫ信号（本発明に係る出力クロック信号の一例）のクロック数）をカウントする。更に、カウンタ５３は、後述のダミー信号が出力された個数をカウントする。
【００７６】
設定部５２は、カウンタ５３によるカウント値に基づいて各種フラグを設定する。ここで、フラグを設定するとは、フラグをオンしたり、オフしたりすることを指す。各種フラグとは、Ｒ識別フラグ、Ｇ識別フラグ、Ｂ識別フラグ、出力許可フラグ、及びダミー出力フラグを指す。Ｒ識別フラグ、Ｇ識別フラグ、及びＢ識別フラグは、設定部５２の内部レジスタ（図示省略）に設定される。出力許可フラグは、保持出力部５４及び同期信号生成部５６に対して設定される。ダミー出力フラグは、同期信号生成部５６に対して設定される。
【００７７】
Ｒ識別フラグは、取得された画像情報がＲ画像情報であることを識別するフラグである。Ｇ識別フラグは、取得された画像情報がＧ画像情報であることを識別するフラグである。Ｂ識別フラグは、取得された画像情報がＢ画像情報であることを識別するフラグである。出力許可フラグは、画像情報を制御回路２０２に出力することを許可するフラグである。ダミー出力フラグは、第２同期信号に代替する代替同期信号の一例であるダミー信号の出力を許可するフラグである。なお、以下では、説明の便宜上、Ｒ識別フラグ、Ｇ識別フラグ、及びＢ識別フラグを区別して説明する必要がない場合、色識別フラグと称する。
【００７８】
保持出力部５４は、信号線６０を介して入力された第４ＣＬＫ信号に基づいて定められたタイミングで信号線１９２を介して第１同期信号が入力されたことに同期して、対応する画像情報を取得してメモリ５５に保持する。そして、出力許可フラグがオン状態であることを条件に、画像情報出力を行う。ここで、画像情報出力とは、信号線２０８を介して入力された第２ＣＬＫ信号に基づいて定められたタイミングで信号線２１２を介して第２同期信号が入力されたことに同期して、保持状態の画像情報を信号線２１４を介して制御回路２０２に出力することを指す。
【００７９】
同期信号生成部５６は、出力許可フラグがオン状態であることを条件に同期信号出力を行う。ここで、同期信号出力とは、第１同期信号が信号線１９２を介して入力されたことに応じて、パルスである第２同期信号を生成して出力することを指す。なお、第２同期信号は、信号線２０８を介して入力された第２ＣＬＫ信号に基づいて定められたタイミングで生成されて出力される。
【００８０】
同期信号生成部５６は、ダミー出力フラグがオン状態であることを条件にダミー信号出力を行う。ダミー信号出力とは、第２同期信号に代替するパルスであるダミー信号を、信号線２０８を介して入力された第２ＣＬＫ信号に従って生成して出力することを指す。ダミー信号の出力間隔は、例えば、第１同期信号の出力間隔に相当する予め定められた間隔（以下、説明の便宜上、「第１同期信号出力間隔」と称する）である。第１同期信号出力間隔とは、例えば、出力された隣接する第１同期信号のうちの一方の第１同期信号の立ち上がりエッジから他方の第１同期信号の立ち上がりエッジまでの時間間隔を指す。
【００８１】
なお、本実施形態では、第１ＰＬＬ５０と異なる生成出力源であるＣＰＵ１６２によって生成されて出力された第２ＣＬＫ信号に従ってダミー信号が生成されて出力される場合を例示しているが、本発明はこれに限定されるものではない。すなわち、ダミー信号は、第４ＣＬＫ信号が生成されて出力される生成出力源（ここでは、第１ＰＬＬ５０）及びＣＰＵ１６２以外の生成出力源である発振器で生成されて出力されたクロック信号に従って生成されて出力されるようにしてもよい。
【００８２】
第２ＰＬＬ５８は、信号線２０８を介して第２ＣＬＫ信号が入力され、入力された第２ＣＬＫ信号を参照して第３ＣＬＫ信号を生成し、生成した第３ＣＬＫ信号を信号線２１０を介して制御回路２０２に出力する。
【００８３】
次に本実施形態の作用を説明する。先ず、図１３を参照して設定部５２が実行するフラグ設定処理について説明する。
【００８４】
図１３に示すフラグ設定処理では、先ず、ステップ２００で、設定部５２は、保持出力部５４及び同期信号生成部５６で出力許可フラグがオフされているか否かを判定する。ステップ２００において、保持出力部５４及び同期信号生成部５６で出力許可フラグがオフされている場合は、判定が肯定されて、ステップ２０２へ移行する。ステップ２００において、保持出力部５４及び同期信号生成部５６で出力許可フラグがオフされていない場合（オンされている場合）は、判定が否定されて、ステップ２２０へ移行する。
【００８５】
ステップ２０２で、設定部５２は、スキャン開始信号が入力されたか否かを判定する。ステップ２０２において、スキャン開始信号が入力された場合は、判定が肯定されて、ステップ２０４へ移行する。ステップ２０２において、スキャン開始信号が入力されていない場合は、判定が否定されて、ステップ２０２の判定が再び行われる。
【００８６】
ステップ２０４で、設定部５２は、第１同期信号の立ち上がりエッジを検出したか否かを判定する。ステップ２０４において、第１同期信号の立ち上がりエッジを検出した場合は、判定が肯定されて、ステップ２０６へ移行する。ステップ２０４において、第１同期信号の立ち上がりエッジを検出していない場合は、判定が否定されて、ステップ２０４の判定が再び行われる。
【００８７】
ステップ２０６で、カウンタ５３は、第４ＣＬＫ信号のクロック数のカウントを開始し、その後、ステップ２０８へ移行する。
【００８８】
ステップ２０８で、設定部５２は、第１同期信号の立ち下がりエッジを検出したか否かを判定する。ステップ２０８において、第１同期信号の立ち下がりエッジを検出した場合は、判定が肯定されて、ステップ２１０へ移行する。ステップ２０８において、第１同期信号の立ち下がりエッジを検出していない場合は、判定が否定されて、ステップ２０８の判定が再び行われる。
【００８９】
ステップ２１０で、設定部５２は、ステップ２０６でカウントを開始したカウンタ５３のカウント値が第１閾値以上か否かを判定する。ここで、第１閾値とは、内部レジスタ３０に記憶されている時間幅情報により示される時間幅に相当するクロック数を指す。ステップ２１０において、ステップ２０６でカウントを開始したカウンタ５３のカウント値が第１閾値以上の場合は、判定が肯定されて、ステップ２１２へ移行する。ステップ２１０において、ステップ２０６でカウントを開始したカウンタ５３のカウント値が第１閾値未満の場合は、判定が否定されて、ステップ２１３へ移行する。
【００９０】
なお、本ステップ２１０において、判定が肯定される場合とは、Ｒ画像情報に対応する第１同期信号（図１８参照）が設定部５２に入力された場合を指す。本ステップ２１０において、判定が否定される場合とは、Ｇ画像情報に対応する第１同期信号（図１８参照）、又はＢ画像情報に対応する第１同期信号（図１８参照）が設定部５２に入力された場合を指す。
【００９１】
ステップ２１３で、カウンタ５３は、ステップ２０６でカウントを開始して得たカウント値をリセットし、その後、ステップ２０２へ移行する。なお、本ステップ２１３及び後述のステップ２１４におけるリセットとは、カウント値を初期設定値（例えば“０”）に戻すことを意味する。
【００９２】
ステップ２１２で、設定部５２は、Ｒ識別フラグ及び出力許可フラグをオンし、その後、ステップ２１４へ移行する。
【００９３】
ステップ２１４で、カウンタ５３は、ステップ２０６又は前回の本ステップ２１４でカウントを開始して得たカウント値をリセットしてからカウントを再び開始し、その後、ステップ２１６へ移行する。
【００９４】
ステップ２１６で、設定部５２は、スキャン終了信号が入力されたか否かを判定する。ステップ２１６において、スキャン終了信号が入力された場合は、判定が肯定されて、ステップ２１８へ移行する。ステップ２１６において、スキャン終了信号が入力されていない場合は、判定が否定されて、ステップ２００の判定が再び行われる。
【００９５】
ステップ２１８で、設定部５２は、各種フラグをオフし、その後、本フラグ設定処理を終了する。
【００９６】
一方、ステップ２２０で、設定部５２は、第１ＰＬＬ５０が停止状態であるか否かを判定する。ステップ２２０において、第１ＰＬＬ５０が停止状態の場合は、判定が肯定されて、図１４に示すステップ２３４へ移行する。ステップ２２０において、第１ＰＬＬ５０が停止状態でない場合は、判定が否定されて、ステップ２２２へ移行する。
【００９７】
ステップ２２２で、設定部５２は、第１同期信号（一例として図１８に示すＲ画像情報、Ｇ画像情報、又はＢ画像情報に対応する第１同期信号）を検出したか否かを判定する。ステップ２２２において、第１同期信号を検出した場合は、判定が肯定されて、ステップ２２４へ移行する。ステップ２２２において、第１同期信号を検出していない場合は、判定が否定されて、ステップ２３０へ移行する。
【００９８】
ステップ２２４で、設定部５２は、循環色順に色識別フラグを更新し、その後、ステップ２２６へ移行する。循環色順に色識別フラグを更新するとは、例えば、Ｒ識別フラグがオンされている状態でステップ２２２の判定が肯定された場合、Ｒ識別フラグがオフされると共にＧ識別フラグがオンされることを意味する。また、例えば、Ｇ識別フラグがオンされている状態でステップ２２２の判定が肯定された場合、Ｇ識別フラグがオフされると共にＢ識別フラグがオンされることを意味する。更に、例えば、Ｂ識別フラグがオンされている状態でステップ２２２の判定が肯定された場合、Ｂ識別フラグがオフされると共にＲ識別フラグがオンされることを意味する。
【００９９】
ステップ２２６で、設定部５２は、ダミー出力フラグがオンされているか否かを判定する。ステップ２２６において、ダミー出力フラグがオンされている場合は、判定が肯定されて、ステップ２２８へ移行する。ステップ２２６において、ダミー出力フラグがオンされていない場合（オフされている場合）は、判定が否定されて、ステップ２１４へ移行する。
【０１００】
ステップ２２８で、設定部５２は、ダミー出力フラグをオフし、その後、ステップ２１４へ移行する。
【０１０１】
ステップ２３０で、設定部５２は、ステップ２１４でカウントを開始したカウンタ５３のカウント値が第２閾値以上か否かを判定する。ここで、第２閾値とは、例えば、第１同期信号出力間隔に予め定められた時間（例えば、第４ＣＬＫ信号の２クロックに相当する時間）を付加して得た時間に相当する第４ＣＬＫ信号のクロック数を指す。
【０１０２】
ステップ２３０において、ステップ２１４でカウントを開始したカウンタ５３のカウント値が第２閾値以上の場合は、判定が肯定され、ステップ２３２へ移行する。ステップ２３０において、ステップ２１４でカウントを開始したカウンタ５３のカウント値が第２閾値未満の場合は、判定が否定されて、ステップ２２０へ移行する。
【０１０３】
ステップ２３２で、設定部５２は、ダミー出力フラグをオンし、その後、ステップ２１４へ移行する。
【０１０４】
一方、図１４に示すステップ２３４で、設定部５２は、リセット実施信号を第１ＰＬＬ５０に出力し、その後、ステップ２３６へ移行する。第１ＰＬＬ５０は、設定部５２からリセット実施信号が入力されたことに応じてリセットを実施する。
【０１０５】
ステップ２３６で、設定部５２は、ダミー出力フラグをオンし、その後、ステップ２３８へ移行する。
【０１０６】
ステップ２３８で、設定部５２は、現時点でオンされている色識別フラグに基づいて、同期信号生成部５６が出力するダミー信号の必要個数を導出し、その後、ステップ２４０へ移行する。なお、本ステップ２３８では、下記の表１に従って、ダミー信号の必要個数が導出される。
【０１０７】
【表１】
2015192173.tif 000003
ここで、ダミー信号の必要個数（例えば、表１に示すダミー信号の必要個数）は、現時点でオンされている色識別フラグ、出力再開期間、及び特定色に応じて定まる。出力開始期間とは、第１ＰＬＬ５０により第４ＣＬＫ信号の出力が再開される迄の期間として予め定められた期間を指す。第４ＣＬＫ信号の出力が再開される迄の期間とは、換言すると、第４ＣＬＫ信号の生成が安定する迄の期間を指す。第４ＣＬＫ信号の生成が安定した状態とは、例えば、第１ＣＬＫ信号のクロック数の３倍のクロック数の第４ＣＬＫ信号が継続的に生成されている状態を指す。特定色とは、制御回路２０２に対して最初に出力すべき画像情報に対応する色として予め定められた色（ここでは一例としてＲ）を指す。
【０１０８】
ステップ２３８が実行された後、同期信号生成部５６によって出力されたダミー信号の個数はカウンタ５３によってカウントされる。
【０１０９】
ステップ２４０で、設定部５２は、カウンタ５３によってカウントされたダミー信号の個数がステップ２３８で導出した必要個数に達したか否かを判定する。ステップ２４０において、カウンタ５３によってカウントされたダミー信号の個数がステップ２３８で導出した必要個数に達した場合は、判定が肯定されて、ステップ２４２へ移行する。ステップ２４０において、カウンタ５３によってカウントされたダミー信号の個数がステップ２３８で導出した必要個数に達していない場合は、判定が否定されて、ステップ２４０の判定が再び行われる。
【０１１０】
ステップ２４２で、設定部５２は、ダミー出力フラグをオフし、その後、ステップ２４４へ移行する。
【０１１１】
ステップ２４４で、設定部５２は、リセット解除信号を第１ＰＬＬ５０に出力し、その後、図１３に示すステップ２１４へ移行する。第１ＰＬＬ５０は、設定部５２からリセット解除信号が入力されたことに応じてリセットを解除する。
【０１１２】
次に、図１５を参照して同期信号生成部５６が実行する信号生成処理について説明する。
【０１１３】
ステップ２５０で、同期信号生成部５６は、出力許可フラグがオンされているか否かを判定する。ステップ２５０において、出力許可フラグがオンされている場合は、判定が肯定されて、ステップ２５２へ移行する。ステップ２５０において、出力許可フラグがオンされていない場合（オフされている場合）は、判定が否定されて、本ステップ２５０の判定が再び行われる。
【０１１４】
ステップ２５２で、同期信号生成部５６は、ダミー出力フラグがオンされているか否かを判定する。ステップ２５２において、ダミー出力フラグがオンされている場合は、判定が肯定されて、ステップ２５８へ移行する。ステップ２５２において、ダミー出力フラグがオンされていない場合（オフされている場合）は、判定が否定されて、ステップ２５４へ移行する。
【０１１５】
ステップ２５４で、同期信号生成部５６は、ＡＦＥ２０から第１同期信号が入力されたか否かを判定する。ステップ２５４において、ＡＦＥ２０から第１同期信号が入力された場合は、判定が肯定されて、ステップ２５６へ移行する。ステップ２５４において、ＡＦＥ２０から第１同期信号が入力されていない場合は、判定が否定されて、ステップ２６４へ移行する。
【０１１６】
ステップ２５６で、同期信号生成部５６は、第２同期信号を生成して制御回路２０２に出力し、その後、ステップ２６４へ移行する。
【０１１７】
ステップ２５８で、同期信号生成部５６は、ダミー信号生成時期が到来したか否かを判定する。ここで、ダミー信号生成時期とは、ステップ２５２の判定が肯定されたとき、及び前回にダミー信号が出力された時点から第１同期信号出力間隔に相当する時間が経過したときを指す。ステップ２５８において、ダミー信号生成時期が到来した場合は、判定が肯定されて、ステップ２６０へ移行する。ステップ２５８において、ダミー信号生成時期が到来していない場合は、判定が否定されて、本ステップ２５８の判定が再び行われる。
【０１１８】
ステップ２６０で、同期信号生成部５６は、ダミー信号を生成して制御回路２０２に出力し、その後、ステップ２６２へ移行する。なお、本ステップ２６０では、図１４に示すステップ２３８で必要個数として“１”以上の個数が導出された場合、ダミー信号が生成されて出力されるが、必要個数として“０”が導出された場合、ダミー信号が生成されずにステップ２６２へ移行する。
【０１１９】
ステップ２６２で、同期信号生成部５６は、ダミー出力フラグがオフされているか否かを判定する。ステップ２６２において、ダミー出力フラグがオフされている場合は、判定が肯定されて、ステップ２６４へ移行する。ステップ２６２において、ダミー出力フラグがオフされていない場合（オンされている場合）は、判定が否定されて、ステップ２５８へ移行する。
【０１２０】
ステップ２６４で、同期信号生成部５６は、出力許可フラグがオフされているか否かを判定する。ステップ２６４において、出力許可フラグがオフされていない場合（オンされている場合）は、判定が否定されて、ステップ２５２へ移行する。ステップ２６４において、出力許可フラグがオフされている場合は、判定が肯定されて、本信号生成処理を終了する。
【０１２１】
次に、図１６を参照して保持出力部５４が実行する画像情報取得処理について説明する。
【０１２２】
図１６に示す画像情報取得処理では、先ず、ステップ３００で、保持出力部５４は、出力許可フラグがオンされているか否かを判定する。ステップ３００において、出力許可フラグがオンされていない場合（オフされている場合）は、判定が否定されて、本ステップ３００の判定が再び行われる。ステップ３００において、出力許可フラグがオンされている場合は、判定が肯定されて、ステップ３０２へ移行する。
【０１２３】
ステップ３０２で、保持出力部５４は、第１同期信号が入力されたか否かを判定する。ステップ３０２において、第１同期信号が入力されていない場合は、判定が否定されて、本ステップ３０２の判定が再び行われる。ステップ３０２において、第１同期信号が入力された場合は、判定が肯定されて、ステップ３０４へ移行する。
【０１２４】
ステップ３０４で、保持出力部５４は、ＡＦＥ２０により出力された画像情報の取得を開始し、その後、ステップ３０６へ移行する。
【０１２５】
ステップ３０６で、保持出力部５４は、取得した画像情報をメモリ５５に記憶することにより保持し、ステップ３０７へ移行する。
【０１２６】
ステップ３０７で、保持出力部５４は、ステップ３０２で入力された第１同期信号に対応する画像情報の取得を終了したか否かを判定する。ステップ３０７において、ステップ３０２で入力された第１同期信号に対応する画像情報の取得を終了していない場合は、判定が否定されて、ステップ３０６へ移行する。ステップ３０７において、ステップ３０２で入力された第１同期信号に対応する画像情報の取得を終了した場合は、判定が肯定されて、ステップ３０８へ移行する。
【０１２７】
ステップ３０８で、保持出力部５４は、出力許可フラグがオフされているか否かを判定する。ステップ３０８において、出力許可フラグがオフされていない場合（オンされている場合）は、判定が否定されて、ステップ３０２へ移行する。ステップ３０８において、出力許可フラグがオフされている場合は、判定が肯定されて、本画像情報取得処理を終了する。
【０１２８】
次に、図１７を参照して保持出力部５４が実行する画像情報出力処理について説明する。
【０１２９】
図１７に示す画像情報出力処理では、先ず、ステップ３５０で、保持出力部５４は、出力許可フラグがオンされているか否かを判定する。ステップ３５０において、出力許可フラグがオンされていない場合（オフされている場合）は、判定が否定されて、本ステップ３５０の判定が再び行われる。ステップ３５０において、出力許可フラグがオンされている場合は、判定が肯定されて、ステップ３５２へ移行する。
【０１３０】
ステップ３５２で、保持出力部５４は、第２同期信号が入力されたか否かを判定する。ステップ３５２において、第２同期信号が入力されていない場合は、判定が否定されて、本ステップ３５２の判定が再び行われる。ステップ３５２において、第２同期信号が入力された場合は、判定が肯定されて、ステップ３５４へ移行する。
【０１３１】
ステップ３５４で、保持出力部５４は、保持状態の（現時点でメモリ５５に記憶されている）画像情報を制御回路２０２に出力し、その後、ステップ３５６へ移行する。
【０１３２】
ステップ３５６で、保持出力部５４は、保持状態の画像情報の全てを制御回路２０２に出力したか否かを判定する。ステップ３５６において、保持状態の画像情報の全てを制御回路２０２に出力していない場合は、判定が否定されて、本ステップ３５６の判定が再び行われる。ステップ３５６において、保持状態の画像情報の全てを制御回路２０２に出力した場合は、判定が肯定されて、ステップ３５８へ移行する。
【０１３３】
ステップ３５８で、保持出力部５４は、出力許可フラグがオフされているか否かを判定する。ステップ３５８において、出力許可フラグがオフされていない場合（オンされている場合）は、判定が否定されて、ステップ３５２へ移行する。ステップ３５８において、出力許可フラグがオフされている場合は、判定が肯定されて、本画像情報出力処理を終了する。
【０１３４】
以上説明したように、保持出力部５４によって画像情報出力処理が実行されると、入出力回路３４により出力される画像情報に対応する色は、一例として図１９に示すように制御回路２０２で取得される画像情報に対応する色と一致する。また、図７に示す例と図１９に示す例とを対比すると、図７に示す例では、取得循環色順と認識循環色順とが一致しないのに対し、図１９に示す例では、取得循環色順と認識循環色順とが一致する点が異なる。このように取得循環色順と認識循環色順とが一致するのは、設定部５２により出力許可フラグがオンされた上で、保持出力部５４により画像情報取得処理及び画像情報出力処理が実行されたからである。
【０１３５】
図１９に示す例では、ＡＦＥ２０によりＲ画像情報が出力された後、かつ、Ｂ画像情報が出力される前に、スキャン開始信号が入出力回路３４に入力される。この場合（スキャン開始信号が入出力回路３４に入力されるタイミングとＡＦＥ２０によりＲ画像情報が出力されるタイミングとが合わない場合）、入出力回路３４は、Ｂ画像情報を出力せずに（空データを出力し）、Ｒ画像情報から画像情報の出力を開始する。これにより、制御回路２０２は、入出力回路３４からＢ画像情報が入力されないため（入出力回路３４により空データが出力されるため）、Ｂ画像情報に対する取得動作をスキップし、Ｒ画像情報から画像情報の取得を再開する。よって、制御回路２０２では、Ｒ画像情報、Ｇ画像情報、及びＢ画像情報の順に画像情報が取得され、Ｒ画像情報、Ｇ画像情報、及びＢ画像情報の順に画像情報が認識されて、取得された画像情報に対して取得順に処理が実行される。
【０１３６】
また、本実施形態に係る情報処理装置１０では、ＲＧＢ等の色識別フラグとするスキャン開始信号が画像情報毎に入出力回路３４に入力され、入出力回路３４が色と無関係な同期信号と共に画像情報とスキャン開始信号との両方を制御回路２０２に出力する場合に比べ、制御回路２０２は、少ないデータのやり取りで、画像情報に対応する色を、特定色から循環色順に認識することとなる。
【０１３７】
一方、図９に示す例と図２０に示す例とを対比すると、Ｇ画像情報に対応する第１同期信号の入力がノイズにより妨げられた場合、図９に示す例ではダミー信号が出力されないのに対し、図２０に示す例ではダミー信号が出力される点が異なる。
【０１３８】
出力許可フラグがオンされた場合、一例として図２０に示すように、入出力回路３４は、第１同期信号が入力されたことに応じて（図１５のステップ２５４：Ｙ）、第２同期信号を生成して出力する（図１５のステップ２５６）。制御回路２０２は、第２同期信号が入力されたことに同期して画像情報を取得する。ここで、入出力回路３４は、Ｇ画像情報に対応する第１同期信号の入力がノイズにより妨げられると（図１３のステップ２３０：Ｙ）、Ｇ画像情報を出力せず（空データを出力し）、第２同期信号に代えてダミー信号を生成して出力する（図１５のステップ２６０）。
【０１３９】
この場合、制御回路２０２は、Ｇ画像情報に対する取得動作をスキップし、入出力回路３４からダミー信号が入力されることにより、Ｇ画像情報を取得したと認識する。その後、入出力回路３４は、第１同期信号の入力が再開されると（図１５のステップ２５４：Ｙ）、再び第２同期信号を生成して出力する（図１５のステップ２５６）。入出力回路３４は、第２同期信号の出力を再開すると、これに同期して画像情報（図２０に示す例では、Ｂ画像情報）を出力する。制御回路２０２は、第２同期信号が再び入力されたことに同期して画像情報の取得を再開し、取得した画像情報に対応する色（図２０に示す例では、Ｂ）を認識する。
【０１４０】
すなわち、制御回路２０２は、第１同期信号の出力が再開されるまでダミー信号が入力されることで、画像情報を実際に取得していなくても画像情報を取得したと認識するので、結果的に、取得循環色順と認識循環色順とが一致する。従って、第１同期信号の入力がノイズによって妨げられたとしても、制御回路２０２以降で画像情報に対応する色がずれる（制御回路２０２により画像処理が行われて出力された画像情報により示される画像の色がずれる）という事態の発生が抑制される。なお、制御回路２０２以降とは、制御回路２０２及び制御回路２０２により出力された画像情報を取得して取り扱う後段回路（制御回路２０２よりも後段に位置する回路）を指す。
【０１４１】
一方、図１０に示す例と図２１に示す例とを対比すると、Ｇ画像情報に対応する第１同期信号の入力がノイズにより妨げられた場合に、図１０に示す例ではダミー信号が出力されないのに対し、図２１に示す例ではダミー信号が出力される点が異なる。
【０１４２】
本実施形態では、一例として図２１に示すように、ノイズによって第４ＣＬＫ信号の出力が妨げられたことに起因して第１同期信号が入力されずに第２同期信号が生成されない場合においても、ダミー信号が制御回路２０２に出力される。この場合、制御回路２０２は、第４ＣＬＫ信号の出力が再開されるまでダミー信号が入力されることで、画像情報を実際に取得していなくても画像情報を取得したと認識するので、結果的に、取得循環色順と認識循環色順とが一致する。従って、ノイズによって第４ＣＬＫ信号の出力が妨げられたとしても、制御回路２０２以降で画像情報に対応する色がずれるという事態の発生が抑制される。
【０１４３】
なお、上記実施形態では、ノイズの影響を受けて第１同期信号が入力されない場合を例示したが、本発明はこれに限定されるものではなく、ノイズ以外の原因（例えば、接触不良）により第１同期信号が入力されない場合であってもよいことは言うまでもない。
【０１４４】
また、上記実施形態では、第４ＣＬＫ信号の再開されるタイミングが既知であることを前提として、色識別フラグに応じて一意に導出された個数のダミー信号を出力する場合を例示したが、本発明はこれに限定されるものではない。例えば、同期信号生成部５６は、ダミー出力フラグがオンされてから、ダミー出力フラグがオフされ、かつ、Ｒ識別フラグがオンされる迄の間、ダミー信号を出力し、Ｒ識別フラグがオンされた場合に、第２同期信号を生成して出力するようにしてもよい。この場合、色識別フラグが更新されることが前提となるが、色識別フラグは、同期信号生成部５６により出力されたダミー信号が設定部５２によって検出される毎に循環色順に更新されるようにすればよい。なお、ダミー出力フラグがオフされ、かつ、Ｒ識別フラグがオンされるまでの間とは、換言すると、ダミー出力フラグがオフされ、かつ、Ｇ識別フラグ又はＢ識別フラグがオンされている間を指す。
【０１４５】
また、上記実施形態では、スキャン開始信号が画像処理回路２２に入力されてから入出力回路３４が制御回路２０２に最初に出力する画像情報に対応する色としてＲを例示したが本発明はこれに限定されるものではない。スキャン開始信号が画像処理回路１８６に入力されてから入出力回路３４が制御回路２０２に最初に出力する画像情報に対応する色は、制御回路２０２が何れの色の画像情報から循環色順に画像処理を行うかによって決まる。従って、制御回路２０２がＧ画像情報から循環色順に画像処理を行う場合、スキャン開始信号が画像処理回路２２に入力されてから入出力回路３４が制御回路２０２に最初に出力する画像情報に対応する色はＧである。また、制御回路２０２がＢ画像情報から循環色順に画像処理を行う場合、スキャン開始信号が画像処理回路２２に入力されてから入出力回路３４が制御回路２０２に最初に出力する画像情報に対応する色はＢである。
【０１４６】
また、上記実施形態では、Ｇ画像情報に対応する第１同期信号の時間幅（パルス幅）とＢ画像情報に対応する第１同期信号の時間幅とを相違させていないが、本発明はこれに限定されるものではない。例えば、Ｒ画像情報に対応する第１同期信号の時間幅と、Ｇ画像情報に対応する第１同期信号の時間幅と、Ｂ画像情報に対応する第１同期信号の時間幅とを互いに異ならせるようにしてもよい。これにより、設定部５２によって第１同期信号の時間幅が測定されることで何色の画像情報が入力されたかが識別される。
【０１４７】
また、上記実施形態では、ＡＦＥ２０が、信号レベルがローレベルからハイレベルに遷移するパルスを第１同期信号として出力する場合を例示したが、本発明はこれに限定されるものではない。例えば、信号レベルがハイレベルからローレベルに遷移する信号を第１同期信号として出力するようにしてもよい。この場合、第１同期信号のローレベル部分の時間幅から画像情報に対応する色が識別される。
【０１４８】
また、上記実施形態では、第１同期信号であるパルスが矩形波であることを前提として説明したが、本発明はこれに限定されるものではなく、例えば、第１同期信号であるパルスは、三角波又はのこぎり波等の他の形状のパルスであってもよい。また、ＲＧＢの色毎にパルスの形状を変えるようにしてもよい。この場合、ＲＧＢの各色がパルスの形状から一意に特定される。
【０１４９】
また、上記実施形態では、第１同期信号であるパルスの時間幅であるパルス幅に基づいて色を識別する場合を例示したが、本発明はこれに限定されるものではない。例えば、ＡＦＥ２０は、色に応じた個数のパルス又は色に応じた高さのパルスを第１同期信号として出力するようにしてもよい。また、ＲＧＢの色毎に個別にパルスの個数を変えたり、ＲＧＢの色毎に個別にパルスの高さを変えたりしてもよい。この場合、パルスの個数又はパルスの高さからＲＧＢの各色が一意に特定される。
【０１５０】
なお、ＡＦＥ２０が色に応じた時間幅の第１同期信号を生成して出力して、入出力回路３４が第１同期信号の時間幅から画像情報に対応する色を識別する方法（上記実施形態で説明した色識別方法）は、画像情報内の空き領域に色識別子を埋め込む必要がない。そのため、上記実施形態で説明した色識別方法は、色識別子を画像情報内の空き領域に埋め込む方法に比べ、画像情報内の空き領域が他の用途に充てられる、という点で有利である。
【０１５１】
また、上記実施形態では、一例として図２２に示すように、第１同期信号が間隔Ａで入力される場合を前提として説明したが、本発明はこれに限定されるものではない。例えば、図２３に示すように、Ｂ画像情報に対応する第１同期信号と後続のＲ画像情報に対応する第１同期信号との入力間隔のみが間隔Ｂであってもよい。この場合も、第４ＣＬＫ信号の出力を再開させるタイミングは、ダミー信号の出力後である。
【０１５２】
また、上記実施形態で説明したフラグ設定処理、信号生成処理、画像情報取得処理、及び画像情報出力処理（以下、区別して説明する必要がない場合、「各種処理」という）はあくまでも一例である。従って、主旨を逸脱しない範囲内において不要なステップを削除したり、新たなステップを追加したり、処理順序を入れ替えたりしてもよいことは言うまでもない。また、上記実施形態で説明した各種処理に含まれる各処理は、ＦＰＧＡである入出力回路３４によって実行されているが、プログラムを実行することにより、コンピュータを利用してソフトウェア構成により実現されてもよい。また、各種処理に含まれる各処理は、ハードウェア構成とソフトウェア構成の組み合わせによって実現されてもよい。
【０１５３】
また、上記実施形態で説明した各種処理に含まれる各処理をソフトウェア構成により実現するには、例えば、ＣＰＵ、一次記憶部、及び二次記憶部を含むコンピュータにおけるＣＰＵが各種処理プログラムを実行することにより各種処理が行われるようにすればよい。ここで、各種処理プログラムは二次記憶部（例えば、フラッシュメモリ）に記憶されていればよく、ＣＰＵは、二次記憶部から各種処理プログラムを読み出し、一次記憶部（例えば、ＲＡＭ）に展開してから実行すればよい。この場合、ＣＰＵは、フラグ設定プログラムを実行することで、フラグ設定処理（図１３及び図１４参照）を実行する設定部５２として動作する。また、ＣＰＵは、信号生成プログラムを実行することで、信号生成処理（図１５参照）を実行する同期信号生成部５６として動作する。ＣＰＵは、画像情報取得プログラムを実行することで、画像情報取得処理（図１６参照）を実行する保持出力部５４として動作する。更に、ＣＰＵは、画像情報出力プログラムを実行することで、画像情報出力処理（図１７参照）を実行する保持出力部５４として動作する。
【０１５４】
また、上記実施形態では、説明の便宜上、画像読取部１２において画像情報をＡＦＥ２０から入出力回路３４へ出力し、入出力回路３４が制御回路２０２に画像情報を出力する場合を例示しているが、本発明はこれに限定されるものではない。すなわち、本発明は、画像読取部１２以外の装置において、画像情報を一方の回路から他方の回路へ出力し、他方の回路が後段回路に出力する場合についても適用される。
【０１５５】
また、上記実施形態では、ＲＧＢの３つの色の各々に対応する画像情報を例示しているが、本発明はこれに限定されるものではない。すなわち、本発明は、予め定められた複数色（例えば、イエロー（Ｙ）、マゼンタ（Ｍ）、シアン（Ｃ）、及びブラック（Ｋ））の各々に対応する画像情報を一方の回路から他方の回路へ出力し、他方の回路が後段回路に出力する場合についても適用される。
【符号の説明】
【０１５６】
１０  情報処理装置
１２  画像読取部
２０  ＡＦＥ
３４  入出力回路
５０  第１ＰＬＬ
１５６  光電変換素子
１６２  ＣＰＵ
２０２  制御回路
【図１】
2015192173.tif 000004
【図２】
2015192173.tif 000005
【図３】
2015192173.tif 000006
【図４】
2015192173.tif 000007
【図５】
2015192173.tif 000008
【図６】
2015192173.tif 000009
【図７】
2015192173.tif 000010
【図８】
2015192173.tif 000011
【図９】
2015192173.tif 000012
【図１０】
2015192173.tif 000013
【図１１】
2015192173.tif 000014
【図１２】
2015192173.tif 000015
【図１３】
2015192173.tif 000016
【図１４】
2015192173.tif 000017
【図１５】
2015192173.tif 000018
【図１６】
2015192173.tif 000019
【図１７】
2015192173.tif 000020
【図１８】
2015192173.tif 000021
【図１９】
2015192173.tif 000022
【図２０】
2015192173.tif 000023
【図２１】
2015192173.tif 000024
【図２２】
2015192173.tif 000025
【図２３】
2015192173.tif 000026